(57)【要約】【課題】  ディジタルアンプを音声の出力に利用しているときに、再生しているＤＶＤに記録されている音声データのサンプリング周波数が変化したときでも、サンプリング周波数の変化後の音声データの途切れをなくすことができ、且つ本体のコストアップも生じさせない光ディスク再生装置を提供する。【解決手段】  再生装置１は、データの区切りを検出すると、ディジタルアンプ２に対してミュートをかけることを指示するとともに、この区切り前後における音声データのサンプリング周波数が同じであるかどうかを判定する。そして、この区切り前後における音声データのサンプリング周波数が同じでないと判定すると、ディジタルアンプ２が変化した音声データのサンプリング周波数に対応するのに要する時間だけ待ち、その後、今回検出した区切り直後のデータに戻り、ディジタルアンプ２にミュートの解除を指示し、再生を再開する。【選択図】  図１
2007080347.tif 000002
【特許請求の範囲】
【請求項１】
装置本体にセットされている光ディスクに記録されているデータを読み取る読取手段と、
前記読取手段が読み取ったデータにおける音声データをデコードするデコード手段と、
前記デコード手段によりデコードされた音声データに基づくディジタル音声信号を、装置本体に接続されているディジタル音声処理装置へ出力する音声出力手段と、を備えた光ディスク再生装置において、
装置本体にセットされている光ディスクに記録されているデータを前記読取手段で読み取って再生しているときに、記録されているデータの区切りを検出する検出手段と、
前記検出手段がデータの区切りを検出したときに、前記ディジタル音声処理装置に対して、音声の出力停止を指示する音声出力停止指示手段と、
前記検出手段が検出したデータの区切り前の音声データのサンプリング周波数と、この区切り後の音声データのサンプリング周波数と、が同じであるかどうかを確認するサンプリング周波数確認手段と、
前記サンプリング周波数確認手段により、前記検出手段が検出したデータの区切り前の音声データのサンプリング周波数と、この区切り後の音声データのサンプリング周波数と、が同じでないことが検出されたとき、予め定められた一定時間経過するのを待って、装置本体にセットされている光ディスクのデータの読取位置を、前記検出手段により検出されたデータの区切り直後の位置に戻すとともに、前記ディジタル音声処理装置に対して音声の出力停止解除を指示する音声出力停止解除指示手段と、を備え、
前記音声出力停止解除指示手段は、前記サンプリング周波数確認手段により、前記検出手段が検出したデータの区切り前の音声データのサンプリング周波数と、この区切り後の音声データのサンプリング周波数と、が同じであることが検出されたとき、装置本体にセットされている光ディスクのデータの読取位置を、前記検出手段により検出されたデータの区切り直後の位置に戻すとともに、前記ディジタル音声処理装置に対して音声の出力停止解除を指示する手段であり、
前記サンプリング周波数確認手段は、前記検出手段が検出したデータの区切り後の一定量以上のデータについてサンプリング周波数を繰り返し検出し、ここで繰り返し検出したサンプリング周波数に基づいて、このデータの区切り後のサンプリング周波数を確認する手段である光ディスク再生装置。
【請求項２】
装置本体にセットされている光ディスクに記録されているデータを読み取る読取手段と、
前記読取手段が読み取ったデータにおける音声データをデコードするデコード手段と、
前記デコード手段によりデコードされた音声データに基づくディジタル音声信号を、装置本体に接続されているディジタル音声処理装置へ出力する音声出力手段と、を備えた光ディスク再生装置において、
装置本体にセットされている光ディスクに記録されているデータを前記読取手段で読み取って再生しているときに、記録されているデータの区切りを検出する検出手段と、
前記検出手段がデータの区切りを検出したときに、前記ディジタル音声処理装置に対して、音声の出力停止を指示する音声出力停止指示手段と、
前記検出手段が検出したデータの区切り前の音声データのサンプリング周波数と、この区切り後の音声データのサンプリング周波数と、が同じであるかどうかを確認するサンプリング周波数確認手段と、
前記サンプリング周波数確認手段により、前記検出手段が検出したデータの区切り前の音声データのサンプリング周波数と、この区切り後の音声データのサンプリング周波数と、が同じでないことが検出されたとき、予め定められた一定時間経過するのを待って、装置本体にセットされている光ディスクのデータの読取位置を、前記検出手段により検出されたデータの区切り直後の位置に戻すとともに、前記ディジタル音声処理装置に対して音声の出力停止解除を指示する音声出力停止解除指示手段と、を備えた光ディスク再生装置。
【請求項３】
前記音声出力停止解除指示手段は、前記サンプリング周波数確認手段により、前記検出手段が検出したデータの区切り前の音声データのサンプリング周波数と、この区切り後の音声データのサンプリング周波数と、が同じであることが検出されたとき、装置本体にセットされている光ディスクのデータの読取位置を、前記検出手段により検出されたデータの区切り直後の位置に戻すとともに、前記ディジタル音声処理装置に対して音声の出力停止解除を指示する手段である請求項２に記載の光ディスク再生装置。
【請求項４】
前記サンプリング周波数確認手段は、前記検出手段が検出したデータの区切り後の一定量以上のデータについてサンプリング周波数を繰り返し検出し、ここで繰り返し検出したサンプリング周波数に基づいて、このデータの区切り後のサンプリング周波数を確認する手段である請求項２または３に記載の光ディスク再生装置。
【発明の詳細な説明】
【技術分野】
【０００１】
この発明は、ＤＶＤ等の光ディスクに記録されているデータを読み取り、再生する光ディスク再生装置に関し、特に音声の出力にディジタルアンプが利用できる光ディスク再生装置に関する。
【背景技術】
【０００２】
従来、ＤＶＤ等の光ディスクに記録されているオーディオファイルや、ビデオファイルを再生する光ディスク再生装置（以下、単に再生装置と言う。）が一般に普及している。また、音声を高品質で再生するために、音声の出力にディジタルアンプが利用できる再生装置も提案されている。ディジタルアンプは、周知のように入力された音声データに基づいて、スイッチング素子のオン／オフを制御することで、スピーカを駆動するアンプである。また、ディジタルアンプを内蔵した光ディスク装置もすでに提案されている。
【０００３】
ディジタルアンプは入力された音声データに基づいて、スイッチング素子のオン／オフを制御するために、この音声データのサンプリング周波数と同じ周波数のクロック信号が必要になる。ディジタルアンプに入力される音声データのサンプリング周波数は、一定ではない。このため、一般的なディジタルアンプには、入力されている音声データのサンプリング周波数を検出する検出部や、この検出部で検出された音声データのサンプリング周波数に応じて出力するクロック信号の周波数を変化させる発信部が搭載されている。
【０００４】
ところで、ディジタルアンプに入力されている音声データのサンプリング周波数が、あるタイミングで変化した場合、ディジタルアンプに搭載されている検出部において変化した音声データのサンプリング周波数が検出され、発信部においてここで検出されたサンプリング周波数のクロック信号が出力されるまでに、ある程度の時間（１〜２ｓ程度）を要する。このため、発信部において変化した音声データのサンプリング周波数と同じ周波数のクロック信号が出力されるまでの期間におけるディジタルアンプの動作が不安定になり、この期間の音声が途切れることがある。そこで、この音声の途切れをなくす方法が提案されている（特許文献１、２等参照）。
【０００５】
特許文献１には、音声データのサンプリング周波数が変化したときに、変化後の音声データの先頭の音声が途切れるのを防止するために、音声データを記憶する２つのバッファを備えたディジタルアンプが記載されている。このディジタルアンプは、入力されている音声データ（変化前の音声データ）を一方のバッファに記憶し、この一方のバッファに記憶した音声データを、この音声データのサンプリング周波数と同じ周波数のクロック信号を用いて処理し、音声を出力する。そして、音声データのサンプリング周波数が変化したことを検出すると、変化後の音声データを他方のバッファに記憶する。その後、一方のバッファに蓄積に記憶されている音声データ（変化前の音声データ）を全て処理すると、クロック信号の周波数を他方のバッファに記憶されている音声データのサンプリング周波数に切り換え、その後他方のバッファに記憶している音声データを処理する。
【０００６】
また、特許文献２には、音声データを入力している機器が切り換えられると、一定時間音声の出力を停止するミュートをかけるとともに、このミュートを掛ける時間だけ入力されている音声データを遅延させて再生するディジタルアンプが記載されている。このミュートが掛けられている間に、クロック信号の周波数を入力されている音声データのサンプリング周波数に切り換える。したがって、一定時間経過後に、ミュートが解除されると、今回切り換えられた機器から入力された音声データが先頭から処理される。
【特許文献１】特開２００２−３４４５６１号公報
【特許文献２】特開２００４−２３２１６号公報
【発明の開示】
【発明が解決しようとする課題】
【０００７】
しかしながら、特許文献１は、入力されている音声データのサンプリング周波数が変化した場合に、サンプリング周波数の変化後の音声データの途切れをなくすために、音声データを記憶するバッファを２つ備える構成であり、また入力されている音声データについてサンプリング周波数が変化したことを検出したときに、入力されている音声データを記憶するバッファを高速に切り換えるために、処理速度が速い高性能のマイコンを搭載しなければならず、装置本体のコストアップという問題があった。
【０００８】
なお、特許文献１には、入力されている音声データを記憶するバッファが１つである構成も記載されているが、この構成は音声データのサンプリング周波数が変化したときに、切り捨てられる音声データ（再生されない音声データ）を低減するものであって、音声の途切れをなくすものではない。
【０００９】
また、特許文献２は、音声データを入力している機器が切り換えられたときに、入力されている音声データのサンプリング周波数が変化するという考えに基づくものである。しかし、ＤＶＤ−ＡＵＤＩＯでは、記録される音声データのサンプリング周波数は固定ではなく、トラック間（曲間）で記録されている音声データのサンプリング周波数が異なることがある。また、ＤＶＤ−ＶＩＤＥＯでも記録される音声データのサンプリング周波数は固定ではなく、チャプタや、タイトル間で記録されている音声データのサンプリング周波数が異なることがある。したがって、特許文献２に記載されている構成では、記録されている音声データのサンプリング周波数が単一でないＤＶＤの再生において、入力されている音声データのサンプリング周波数が変化した場合に、サンプリング周波数の変化後の音声データの途切れをなくすことができないという問題がある。
【００１０】
なお、特許文献１、２はともにディジタルアンプの提案である。
【００１１】
この発明の目的は、ディジタルアンプ等のディジタル音声処理装置を音声の出力に利用しているときに、再生しているＤＶＤ等の光ディスクに記録されている音声データのサンプリング周波数が変化したときでも、サンプリング周波数の変化後の音声データの途切れをなくすことができ、且つ本体のコストアップも生じさせない光ディスク再生装置を提供することにある。
【課題を解決するための手段】
【００１２】
この発明の光ディスク再生装置は、上記課題を解決するために以下の構成を備えている。
【００１３】
（１）装置本体にセットされている光ディスクに記録されているデータを読み取る読取手段と、
前記読取手段が読み取ったデータにおける音声データをデコードするデコード手段と、
前記デコード手段によりデコードされた音声データに基づくディジタル音声信号を、装置本体に接続されているディジタル音声処理装置へ出力する音声出力手段と、を備えた光ディスク再生装置において、
装置本体にセットされている光ディスクに記録されているデータを前記読取手段で読み取って再生しているときに、記録されているデータの区切りを検出する検出手段と、
前記検出手段がデータの区切りを検出したときに、前記ディジタル音声処理装置に対して、音声の出力停止を指示する音声出力停止指示手段と、
前記検出手段が検出したデータの区切り前の音声データのサンプリング周波数と、この区切り後の音声データのサンプリング周波数と、が同じであるかどうかを確認するサンプリング周波数確認手段と、
前記サンプリング周波数確認手段により、前記検出手段が検出したデータの区切り前の音声データのサンプリング周波数と、この区切り後の音声データのサンプリング周波数と、が同じでないことが検出されたとき、予め定められた一定時間経過するのを待って、装置本体にセットされている光ディスクのデータの読取位置を、前記検出手段により検出されたデータの区切り直後の位置に戻すとともに、前記ディジタル音声処理装置に対して音声の出力停止解除を指示する音声出力停止解除指示手段と、を備えている。
【００１４】
この構成では、検出手段が、光ディスクに記録されているデータを読取手段で読み取って、再生しているときに、この読取手段が読み取ったデータの区切りを検出する。ここで言うデータの区切りとは、ＤＶＤ−ＡＵＤＩＯであればトラックが切り換わる位置であり、ＤＶＤ−ＶＩＤＥＯであればチャプタやタイトルが切り換わる位置である。検出手段がデータの区切りを検出すると、音声出力停止指示手段が装置本体に接続されているディジタルアンプ等のディジタル音声処理装置に対して、音声の出力停止を指示する。例えば、ディジタル音声処理装置に対してミュートをかけることを指示する。これにより、ディジタル音声処理装置に接続されているスピーカからの音声出力が停止される。また、サンプリング周波数確認手段がこの区切り前の音声データのサンプリング周波数と、この区切り後の音声データのサンプリング周波数と、が同じであるかどうかを確認する。読取手段による光ディスクに記録されているデータの読み取りや、デコード手段による音声データのデコード、さらには音声データ出力手段によるデコードされた音声データについては、検出手段がデータの区切りを検出した後も継続されている。
【００１５】
サンプリング周波数確認手段において、検出手段により今回検出されたデータの区切りの前後で音声データのサンプリング周波数が同じでない、すなわち音声データのサンプリング周波数が変化している、ことが確認されると、音声出力停止解除手段が予め定められた一定時間経過するのを待つ。この一定時間は、ディジタル音声処理装置が音声データのサンプリング周波数の変化に対して、サンプリング周波数が変化した音声データを適正に処理するために、クロック信号の周波数を音声データのサンプリング周波数に切り換えるのに要する時間（１〜２ｓ程度）である。また、音声出力停止解除指示手段は、一定時間経過後に、前記読取手段がデータを読み取る位置を今回検出されたデータの区切り直後の位置に戻すとともに、ディジタル音声処理装置に対して音声出力の停止を解除を指示する。したがって、今回検出された区切り直後のデータから再生が再開される。また、このときにはディジタル音声処理装置が今回検出された区切り後の音声データのサンプリング周波数に対応した状態になっている。このため、光ディスクに記録されている音声データのサンプリング周波数が変化したときにおいても、サンプリング周波数の変化後の音声データに基づく音声の途切れをなくすことができる。また、ソフトウェアで対応できるので、装置本体のコストアップや大型化も殆ど生じない。
【００１６】
（２）前記音声出力停止解除指示手段は、前記サンプリング周波数確認手段により、前記検出手段が検出したデータの区切り前の音声データのサンプリング周波数と、この区切り後の音声データのサンプリング周波数と、が同じであることが検出されたとき、装置本体にセットされている光ディスクのデータの読取位置を、前記検出手段により検出されたデータの区切り直後の位置に戻すとともに、前記ディジタル音声処理装置に対して音声の出力停止解除を指示する手段である。
【００１７】
この構成では、サンプリング周波数確認手段において、検出手段により今回検出されたデータの区切りの前後で音声データのサンプリング周波数が同じである、すなわち音声データのサンプリング周波数が変化していない、ことが確認されると、音声出力停止解除指示手段が、前記読取手段がデータを読み取る位置を今回検出されたデータの区切り後の先頭に戻すとともに、ディジタル音声処理装置に対して音声出力の停止を解除を指示する。これにより、光ディスクに記録されている音声データのサンプリング周波数が変化しなかったときにおいても、光ディスクに記録されているデータの区切り後の音声データに基づく音声の途切れをなくすことができる。
【００１８】
（３）前記サンプリング周波数確認手段は、前記検出手段が検出したデータの区切り後の一定量以上のデータについてサンプリング周波数を繰り返し検出し、ここで繰り返し検出したサンプリング周波数に基づいて、このデータの区切り後のサンプリング周波数を確認する手段である。
【００１９】
この構成では、今回検出された光ディスクに記録されているデータの区切り後の一定量以上のデータについて、音声データのサンプリング周波数を繰り返し検出し、この区切りの前後で音声データのサンプリング周波数が変化していないかどうかを確認する。したがって、区切りの前後で音声データのサンプリング周波数が変化していないかどうかにかかる確認精度を向上させることができる。
【発明の効果】
【００２０】
この発明によれば、光ディスクに記録されている音声データのサンプリング周波数が変化したときにおいても、サンプリング周波数の変化後の音声データに基づく音声の途切れをなくすことができる。また、ソフトウェアの変更で対応できるので、装置本体のコストアップも殆ど生じない。
【発明を実施するための最良の形態】
【００２１】
以下、この発明の実施形態である光ディスク再生装置（以下、単に再生装置と言う。）について説明する。
【００２２】
この実施形態の再生装置１は、音声信号をディジタル音声信号で出力するＤ−音声出力端子１７ａを備えており、図１に示すように、ディジタルアンプ２をＤ−音声出力端子１７ａに接続することで、このディジタルアンプ２を利用して音声を再生することができる構成である。ディジタルアンプ２には、音声を出力するスピーカ５が接続される。また、再生装置１は、音声信号をアナログ音声信号で出力するＡ−音声出力端子１７ｂを備えている。また、再生装置１は、映像信号をディジタル映像信号で出力するＤ−映像出力端子１６ａ、および映像信号をアナログ映像信号で出力するＡ−映像出力端子１６ｂを備えている。Ｄ−映像出力端子１６ａには、ディジタル入力端子を有する表示装置６が接続でき、Ａ−映像出力端子１６ｂには、アナログ入力端子を有する表示装置が６が接続できる。図１では、Ｄ−映像出力端子１６ａに表示装置が接続され、Ｄ−音声出力端子１７ａにディジタルアンプ２が接続されている場合を示している。
【００２３】
図２は、この発明の実施形態である再生装置の主要部の構成を示すブロック図である。再生装置１は、本体の動作を制御する制御部１１と、装置本体にセットされているＤＶＤ１０に記録されているデータを読み取る読取部１２と、読取部１２が読み取ったデータを映像データと音声データとに分離する分離部１３と、分離部１３で分離された映像データを処理する映像データ処理部１４と、分離部１３で分離された音声データを処理する音声データ処理部１５と、映像データ処理部１４で処理された映像データを出力する映像出力部１６と、音声データ処理部１５で処理された音声データを出力する音声出力部１７と、装置本体に対する入力操作を受け付ける操作部１８と、を備えている。図２では、省略している部分もあるが、制御部１１は各部に接続されている。制御部１１は、装置本体にセットされているＤＶＤ１０に記録されているオーディオファイルや、ビデオファイルの管理情報を記憶するメモリを有している。ＤＶＤ１０には、記録されているオーディオファイルや、ビデオファイルの管理情報が所定の記録エリアに記録されている。再生装置１は、本体にセットされているＤＶＤ１０の所定の記録エリアに記録されている管理情報を読み取り、制御部１１のメモリに記憶する。この管理情報には、ＤＶＤ１０に記録されているファイル毎に、そのファイルの開始アドレス、終了アドレス、タイトル名等の情報が含まれている。
【００２４】
読取部１２は、ＤＶＤ１０にレーザ光を照射し、その反射光を検出することで、このＤＶＤ１０に記録されているデータを読み取る、周知のピックアップヘッドを有している。読取部１２は、ピックアップヘッドにおいて検出されたＤＶＤ１０からの反射光に基づいて、読取信号（ＲＦ信号）、トラッキングエラー信号（ＴＥ信号）、およびフォーカスエラー信号（ＦＥ信号）を得る。また、読取部１２は、ＴＥ信号やＦＥ信号に基づいてトラッキングサーボ制御やフォーカスサーボ制御を行い、ＤＶＤ１０におけるレーザ光の照射位置を制御するサーボ制御部を有している。トラッキングサーボ制御やフォーカスサーボ制御については公知であるので、ここでは説明を省略する。読取部１２は、ＲＦ信号を出力する。このＲＦ信号は、ＭＰＥＧ等でエンコードされた映像データと音声データとを多重化した信号である。また、ＲＦ信号には、映像データや音声データに関連づけて、これらの映像データや音声データを再生するときに用いる制御データが含まれている。この制御データは、例えば再生時に映像と音声とを同期させるためのデータや、データの区切り等を示すデータである。読取部３から出力されたＲＦ信号は分離部１３に入力される。
【００２５】
分離部１３は、入力されたＲＦ信号を処理し、映像データ、音声データ、制御データに分離する。ここで分離された映像データ、および音声データはＭＰＥＧ等でエンコードされたデータである。分離部１３は、映像データを映像データ処理部１４へ出力し、音声データを音声データ処理部１５へ出力する。また、制御データは制御部１１へ出力される。映像データ処理部１４は、分離部１３から入力された映像データをデコードし、デコードした映像データを映像出力部１６に入力する。映像出力部１６には、上述したＤ−映像出力端子１６ａ、およびＡ−映像出力端子１６ｂが設けられている。映像出力部１６は、映像データ処理部１４から入力された映像データ（デコードされた映像データ）にかかる信号（ディジタル映像信号）をＤ−映像出力端子１６ａから出力する。また、映像データ処理部１４から入力された映像データ（デコードされた映像データ）に基づくアナログ映像信号を生成し、このアナログ映像信号をＡ−映像出力端子１６ｂから出力する。音声データ処理部１５は、分離部１３から入力された音声データをデコードし、デコードした音声データを音声出力部１７に入力する。また、音声データ処理部１５には、デコードした音声データについて、そのサンプリング周波数を検出するサンプリング周波数検出部１５ａを有している。音声出力部１７には、上述したＤ−音声出力端子１７ａ、およびＡ−音声出力端子１７ｂが設けられている。音声出力部１７は、音声データ処理部１５から入力された音声データ（デコードされた音声データ）にかかる信号（ディジタル音声信号）をＤ−音声出力端子１７ａから出力する。また、音声データ処理部１５から入力された音声データ（デコードされた音声データ）に基づくアナログ音声信号を生成し、このアナログ音声信号をＡ−音声出力端子１７ｂから出力する。操作部１８は、装置本体に対する入力操作を行う複数の操作キーや、図示していないリモコン装置から送信されてきた制御コードを受信するリモコン受信部を有している。また、映像出力部１６は、Ｄ−映像出力端子１６ａを介して接続されている表示装置６に対する制御信号の送信や、表示装置６から送信されてきた制御信号の受信が行える。さらに、音声出力部１７は、Ｄ−音声出力端子１７ａを介して接続されているディジタルアンプ２に対する制御信号の送信や、ディジタルアンプ２から送信されてきた制御信号の受信が行える。
【００２６】
図３は、この実施形態の再生装置のＤ−音声出力端子に接続されるディジタルアンプの主要部の構成を示す図である。ディジタルアンプ２は、本体の動作を制御する制御部２１と、ディジタル音声信号が入力される音声信号入力部２２と、音声信号入力部２２に入力されたディジタル音声信号を処理するディジタル音声信号処理部２３と、ディジタル音声信号処理部２３に対してクロック信号を供給する発信部２４と、ディジタル音声信号処理部２３で処理されたディジタル音声信号により、接続されているスピーカ５を駆動する再生音声出力部２５と、ミュート制御を行うミュート制御部２６と、を備えている。音声信号入力部２２には、上述した再生装置１の音声出力部１７に設けられているＤ−音声出力端子１７ａから出力されたディジタル音声信号が入力される。音声信号入力部２２には、入力されたディジタル音声信号を一時的に記憶するバッファ（不図示）が設けられている。また、音声信号入力部２２は、上述した再生装置１との間における制御信号の通信にも利用される。音声入力部２２は、再生装置１から制御信号が送信されてくると、この制御信号を制御部２１に通知する。ディジタル音声信号処理部２３は、入力されたディジタル音声信号を処理し、音声データを得るとともに、この音声データのサンプリング周波数を検出し、このサンプリング周波数を発信部２４に通知する。発信部２４は、基準クロックを発生する発信素子（不図示）を備え、この基準クロックを分周したクロック信号を出力する。発信部２４は、ディジタル音声信号処理部２３から通知された音声データのサンプリング周波数のクロック信号を生成し、ディジタル音声信号処理部２３に供給する。再生音声出力部２５は、ディジタル音声信号処理部２３で処理されたディジタル音声信号で、接続されているスピーカ５を駆動するドライブ回路である。ミュート制御部２６は、再生音声出力部２５によりスピーカ５の駆動の停止を制御する。
【００２７】
以下、この実施形態の再生装置１の再生動作について説明する。
【００２８】
図４は、この実施形態の再生装置の再生動作を示すフローチャートである。再生装置１は、本体にＤＶＤ１０がセットされたときに、このＤＶＤ１０の所定の記録領域に記録されている管理情報を読み取り、このＤＶＤ１０に記録されているファイル（オーディオファイル、またはビデオファイル）の種別や、記録されている各ファイルの記録開始位置、ファイル名等の管理情報を得ている。再生装置１は、操作部１８に設けられている再生キーや、リモコン装置から送信されてきた再生開始の制御信号を操作部１８で受信したときに、図４に示す処理を実行する。
【００２９】
なお、この図４に示す処理は、ディジタルアンプ２を利用して再生するときに有効な処理であることから、この処理で再生を実行させるかどうかをユーザに選択させるようにしてもよいし、Ｄ−音声出力端子１７ａにディジタルアンプ２が接続されているかどうかを検出し、ディジタルアンプ２が接続されている場合に実行するようにしてもよい。
【００３０】
再生装置１は、再生が指示されると、ディジタルアンプ２に対してミュートをかけるように指示する（ｓ１）。この指示は、Ｄ−音声出力端子１７ａから出力され、ディジタルアンプ２に通知される。ディジタルアンプ２は、この指示にしたがってミュートをかける。これにより、ディジタルアンプ２に接続されているスピーカ５から音声が出力されない状態になる。再生装置１では、読取部１２ａがＤＶＤ１０に記録されているデータの読み取りを開始する（ｓ２）。読取部１２がＤＶＤ１０から読み取ったデータは、分離部１３に入力される。分離部１３は、入力されたＲＦ信号を映像データ、音声データ、制御データ等のデータの種別で分離する処理を行う。分離部１３で分離された映像データは映像データ処理部１４に入力される。また、分離部１３で分離された音声データは音声データ処理部１５に入力される。さらに、分離部１３で分離された制御データは、制御部１１に入力される。
【００３１】
このとき、映像データ処理部１４は、動作を停止しており、分離部１３から入力された映像データを処理しない。したがって、映像出力部１６は、この時点においては映像信号を出力しておらず、接続されている表示装置６において映像の表示が行われていない状態である。一方、音声データ処理部１５は、動作を停止しておらず、分離部１３から入力された音声データをデコードするとともに、サンプリング周波数検出部１５ａにおいてデコードした音声データのサンプリング周波数を確定する（ｓ３）。音声出力部１７が、音声データ処理部１５でデコードされた音声データに基づくディジタル音声信号をＤ−音声端子１７ａから出力し、接続されているディジタルアンプ２に入力する。ディジタルアンプ２は、再生装置１から入力されているディジタル音声信号を処理する。このとき、ディジタル音声信号処理部２３において、再生装置１から入力されているディジタル音声信号から得た音声データのサンプリング周波数を検出する。また、発信部２４が、ここで検出されたサンプリング周波数のクロック信号を生成し、ディジタル音声信号処理部２３に供給する。このとき、再生音声出力部２５は、ディジタル音声信号処理部２３で得られた音声データに基づいて接続されているスピーカ５を駆動するが、ミュート制御部２６によりミュートがかけられているので、スピーカ５から音声が出力されることはない。
【００３２】
再生装置１は、ｓ３にかかる処理から一定時間経過すると（ｓ４）、読取部１２ａにおけるＤＶＤ１０に記録されているデータの読み取り位置を今回の再生開始位置に戻し（ｓ５）、ＤＶＤ１０からのデータの読み取りを再開する（ｓ６）。ｓ４にかかる一定時間は、ディジタルアンプ２がＤＶＤ１０に記録されている音声データのサンプリング周波数を確認し、発信部２４がここで確認したサンプリング周波数と同じ周波数のクロック信号をディジタル音声信号処理部２３に供給できるまでに要する時間であり、１〜２ｓ程度の時間である。また、再生装置１は、ディジタルアンプ２に対してミュートの解除を指示する（ｓ７）。これにより、ディジタルアンプ２は、ミュートを解除する。さらに、再生装置１は映像データ処理部１４の動作を開始させる（ｓ８）。これにより、映像出力部１６からの映像信号の出力が開始される。
【００３３】
これにより、ＤＶＤ１０に記録されているデータの再生が開始され。映像出力部１６からの映像信号（ディジタルおよびアナログ）の出力、および音声出力部１７からの音声信号（ディジタルおよびアナログ）の出力が開始される。したがって、映像出力部１６のＤ−映像出力端子１６ａ、またはＡ−映像出力端子１６ｂに接続されている表示装置（不図示）において映像の表示が開始されるとともに、Ｄ−音声出力端子１７ｂに接続されているディジタルアンプ２に接続されているスピーカ５、またはＡ−音声出力端子１７ｂに接続されているスピーカ（不図示）において音声の出力が開始される。
【００３４】
なお、ディジタルアンプ２は、音声信号入力部２２に入力されたディジタル音声信号を、略リアルタイムにディジタル音声信号処理部２３で処理し、ここで処理された音声データに基づく音声信号を再生音声出力部２５から出力する。
【００３５】
このように、この実施形態の再生装置１は、再生開始の指示があったときに、ディジタルアンプ２が音声データを適正に処理できる状態になるのを待って、今回の再生位置からの再生を開始する。したがって、再生開始直後に、音声が途切れる等の問題も生じない。
【００３６】
再生装置１は、ＤＶＤ１０の再生を開始すると、再生位置がＤＶＤ１０記録されているデータの区切りに達したかどうかを判定する（ｓ９）。ここでいうデータの区切りとは、ＤＶＤ−ＡＵＤＩＯであればトラックが切り換わる位置であり、ＤＶＤ−ＶＩＤＥＯであればチャプタ、またはタイトルが切り換わる位置である。ＤＶＤ１０では、音声データのサンプリング周波数を、この区切りの存在しない一連の音声データ毎に決めている。このため、この区切りの存在しない一連の音声データについてはサンプリング周波数は同じであるが、この区切りの前後で音声データのサンプリング周波数が変化することがある。また、ＤＶＤ１０には、データの区切りを示す情報が制御データとして記録されており、再生装置１はこの制御データによりｓ９にかかる判定を行う。
【００３７】
再生装置１は、ｓ１１でデータの区切りに達したと判定すると、シームレス再生が選択されているかどうかを判定する（ｓ１０）。シームレス再生とは、周知のように、ＤＶＤ−ＡＵＤＩＯにおけるトラック間（曲間）での無音状態を生じさせない再生方法である。再生装置１は、ｓ１０でシームレス再生が選択されていると判定すると、シームレス再生にかかる処理、すなわちトラック間（曲間）で無音状態を生じさせないためのシームレス処理、を行い（ｓ１１）、ｓ９に戻る。
【００３８】
一方、再生装置１は、ｓ１０でシームレス再生が選択されていないと判定すると、ディジタルアンプ２に対してミュートをかけるように指示するとともに、映像出力部１６から今回検出した区切り直前の映像を静止画像として出力する静止画像の強制出力を開始する（ｓ１２、ｓ１３）。ディジタルアンプ２は、再生装置１からの指示にしたがって、ミュートをかける。これにより、スピーカ５からの音声の出力が停止される。再生装置１は、今回検出した区切り以降のデータについて、音声データのサンプリング周波数を確定する（ｓ１４）。ｓ１４では、上述したｓ３と同様に、今回検出した区切り以降の一定量の音声データに対して、繰り返しサンプリング周波数を検出し、その検出結果に基づいて、今回検出した区切り以降の音声データのサンプリング周波数を確定する。
【００３９】
このように、この実施形態の再生装置１は、ＤＶＤ１０に記録されている一定量の音声データ（例えば、再生時間が０．５ｓ程度の音声データ）に対して、繰り返しサンプリング周波数を検出する処理を繰り返した結果に基づいて、この区切り以後の音声データのサンプリング周波数を確定する構成であるので、区切り以降の音声データのサンプリング周波数の確定精度を十分に確保することができる。
【００４０】
また、ｓ９でデータの区切りが検出された後も、読取部１２におけるＤＶＤ１０に記録されているデータの読み取りは継続されている。また、音声データ処理部１３、音声出力部１７も動作を継続している。したがって、今回検出された区切り以後の音声データに基づくディジタル音声信号がディジタルアンプ２に入力されている。ディジタルアンプ２では、常にディジタル音声信号処理部２３が入力されているディジタル音声信号から得た音声データのサンプリング周波数を検出している。
【００４１】
再生装置１は、ｓ１４で今回検出した区切り以後の音声データのサンプリング周波数を確定すると、この区切り以前の音声データのサンプリング周波数と同じであるかどうかを判定する（ｓ１５）。再生装置１は、ｓ１５で同じであると判定すると、読取部１２におけるＤＶＤ１０の読取位置を、今回検出した区切り直後のデータの先頭に戻し（ｓ１６）、この位置からＤＶＤ１０に記録されているデータの読み取りを再開する（ｓ１７）。また、ディジタルアンプ２に対してミュート解除を指示する（ｓ１８）。また、映像出力部１６からの静止画像の強制出力を終了し、ＤＶＤ１０に記録されている映像データに基づく映像の出力に切り換える（ｓ１９）。
【００４２】
一方、再生装置１は、ｓ１４で同じでないと判定すると、ｓ１５にかかる判定から、一定時間経過するのを待つ（ｓ２０）。この一定時間は、ディジタルアンプの発信部２４が今回検出された区切り以後の音声データのサンプリング周波数と同じ周波数のクロック信号をディジタル音声信号処理部２３に供給できるまでに要する時間であり、１〜２ｓ程度の時間である。再生装置１は、ｓ２０で一定時間経過したと判定すると、上述したｓ１６〜ｓ１９にかかる処理を行い、ｓ１１に戻る。
【００４３】
このように、この実施形態の再生装置１では、ＤＶＤ１０に記録されている音声データのサンプリング周波数が変化する可能性のあるデータの区切りを検出すると、ディジタルアンプ２に対してミュートを指示する。したがって、ここで検出した区切りの前後で音声データのサンプリング周波数が変化しており、ディジタルアンプ２の動作が不安定になっても、そのときの雑音等がディジタルアンプ２に接続されているスピーカから出力されることはない。また、検出した区切りの前後で音声データのサンプリング周波数が変化していた場合であっても、ｓ１６で読取部１２におけるＤＶＤ１０の読取位置を、今回検出した区切り直後のデータの先頭に戻す構成にしているので、この区切り直後のデータ（映像、および音声）が再生されないという問題も生じない。また、検出した区切りの前後で音声データのサンプリング周波数が変化していなかった場合であっても、同様にｓ１６で読取部１２におけるＤＶＤ１０の読取位置を、今回検出した区切り直後のデータの先頭に戻す構成にしているので、この区切り直後のデータが再生されないという問題が生じることはない。したがって、ＤＶＤ１０に記録されている音声データのサンプリング周波数が変化したときにおいても、サンプリング周波数の変化後の音声データに基づく音声の途切れをなくすことができる。また、この対応は、再生装置１のソフトウェアの変更で対応できるので、装置本体のコストアップも十分に抑えられる。
【００４４】
なお、上記実施形態では、再生装置１、およびディジタルアンプ２のそれぞれが、音声データのサンプリング周波数を検出する構成としたが、再生装置１がディジタルアンプ２に対して、ｓ３やｓ１４で確定した音声データのサンプリング周波数を通知する構成としてもよい。この場合には、ディジタルアンプ２が再生装置１から通知された音声データのサンプリング周波数と同じ周波数のクロック信号を、発信部２４がディジタル音声信号処理部２３に供給する構成とすればよい。
【図面の簡単な説明】
【００４５】
【図１】この発明の実施形態である再生装置とディジタルアンプの接続を示す図である。
【図２】この発明の実施形態である再生装置の主要部の構成を示すブロック図である。
【図３】ディジタルアンプの主要部の構成を示す図である。
【図４】この実施形態の再生装置の再生動作を示すフローチャートである。
【符号の説明】
【００４６】
１−再生装置
２−ディジタルアンプ
５−スピーカ
１０−ＤＶＤ
１１−制御部
１２−読取部
１３−分離部
１５−音声データ処理部
１５ａ−サンプリング周波数検出部
１７−音声出力部
１７ａ−Ｄ−音声出力端子
【図１】
2007080347.tif 000003
【図２】
2007080347.tif 000004
【図３】
2007080347.tif 000005
【図４】
2007080347.tif 000006